(57)【要約】　　　（修正有）【課題】Ｂ−ＰＯＮの伝送路に生じた故障箇所を特定できる故障監視システム及び故障監視方法を提供する。【解決手段】光伝送路終端装置１は、障害検出部２１からの故障検出情報に基づいて故障箇所を特定する故障箇所特定部２２と、第１及び第２の光伝送路を、信号伝送を行う選択系と信号伝送を行わない非選択系との間で相互に切り替える伝送路切替制御部手段２０とを具える。障害検出部２１は、第１の伝送状態において光網終端装置１３ａ〜１３ｎから送信された信号を用いて故障検出を行うと共に再生中継装置Ｂ−ＰＯＮレピータ６，７から送信された故障監視信号を用いて故障検出を行い、第１の光伝送路が非選択系に切り替えられ第２の光伝送路が選択系に切り替えられた第２の伝送状態において光網終端装置１３ａ〜１３ｎから送信された信号を用いて故障検出を行うと共にＢ−ＰＯＮレピータ６，７から送信された故障監視信号を用いて故障検出を行う。【選択図】　　　　図１
2004104177.tif 000002
【特許請求の範囲】
【請求項１】
光伝送路終端装置と複数の光網終端装置とを光分岐回路及び光線路を介して接続した伝送路分岐多数ユーザ接続ネットワークであって、光伝送路終端装置と光網終端装置との間の伝送路の一部が、第１及び第２の光伝送路により２重化され、第１の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第２の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含む伝送路分岐多数ユーザ接続ネットワークの故障監視システムにおいて、
前記光伝送路終端装置は、受信した信号から伝送路に生じた故障を検出する故障検出手段と、故障検出手段からの故障検出情報に基づいて故障箇所を特定する故障箇所特定手段と、前記第１及び第２の光伝送路を、信号伝送を行う選択系と信号伝送を行わない非選択系との間で相互に切り替える切替制御手段とを具え、
前記光伝送路終端装置の故障検出手段は、前記第１の光伝送路が選択系であり第２の光伝送路が非選択系にある第１の伝送状態において光網終端装置から送信された信号を用いて故障検出を行うと共に再生中継装置から送信された信号を用いて故障検出を行い、第１の光伝送路が非選択系に切り替えられ第２の光伝送路が選択系に切り替えられた第２の伝送状態において光網終端装置から送信された信号を用いて故障検出を行うと共に再生中継装置から送信された信号を用いて故障検出を行うことを特徴とする故障監視システム。
【請求項２】
光伝送路終端装置と複数の光網終端装置とを光分岐回路及び光線路を介して接続した伝送路分岐多数ユーザ接続ネットワークであって、光伝送路終端装置と光網終端装置との間の伝送路の一部が、第１及び第２の光伝送路により２重化され、第１の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第２の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含む伝送路分岐多数ユーザ接続ネットワークの故障監視方法において、
前記光伝送路終端装置は、受信した信号から伝送路に生じた故障を検出する故障検出手段と、故障検出手段からの故障検出情報に基づいて故障箇所を特定する故障箇所特定手段と、前記第１及び第２の光伝送路を、信号伝送を行う選択系と信号伝送を行わない非選択系との間で相互に切り替える切替制御手段とを具え、
第１の光伝送路が選択系であり第２の光伝送路が非選択系である第１の信号伝送状態において、光網終端装置から送信された信号を用いて故障を検出する第１の故障検出工程と、
第１の信号伝送状態において、再生中継装置から送信された故障監視信号を用いて故障を検出する第２の故障検出工程と、
第１の光伝送路が非選択系に切り替えられ第２の光伝送路が選択系に切り替えられた第２の信号伝送状態において、光網終端装置から送信された信号を用いて故障を検出する第３の故障検出工程と、
第２の信号伝送状態において、再生中継装置から送信された信号を用いて故障を検出する第４の故障検出工程とを具えることを特徴とする方法。
【請求項３】
請求項２に記載の故障監視方法において、前記光伝送路終端装置の故障箇所特定手段は、
第１の故障検出工程において故障が検出され、第２の故障検出工程において故障が検出されず、第３の故障検出工程において故障が検出された場合、光網終端装置と第１の再生中継装置との間の伝送路であって、第２の再生中継装置の伝送路と共通する伝送路に故障が発生したものと判断し、
第１の故障検出工程において故障が検出され、第２の故障検出工程において故障が検出されず、第３の故障検出工程において故障が検出されなかった場合、光網終端装置と第１の再生中継装置との間の伝送路であって、第２の再生中継装置とは共通しない伝送路に故障が発生したものと判断し、
第１の故障検出工程において故障が検出され、第２の故障検出工程において故障が検出され、第４の故障検出工程において故障が検出された場合、光伝送路終端装置と第１の再生中継装置との間の伝送路であって、第２の再生中継装置の伝送路と共通する伝送路に故障が発生したものと判断し、
第１の故障検出工程において故障が検出され、第２の故障検出工程において故障が検出され、第４の故障検出工程において故障が検出されなかった場合、光伝送路終端装置と第１の再生中継装置との間の伝送路であって、第２の再生中継装置の伝送路とは共通しない伝送路に故障が発生したものと判断することを特徴とする故障監視方法。
【請求項４】
請求項２又は３に記載の故障監視方法を実施するための用いられる光伝送路終端装置。
【発明の詳細な説明】
【０００１】
【発明の属する技術分野】
本発明は、伝送路分岐多数ユーザ接続ネットワーク（Ｐａｓｓｉｖｅ　Ｏｐｔｉｃａｌ　Ｎｅｔｗｏｒｋ　；ＰＯＮ）の故障監視システム及び故障監視方法並びに光伝送路終端装置に関するものである。
【０００２】
【従来の技術】
Ｂ−ＰＯＮ（Ｂｒｏａｄｂａｎｄ　Ｐａｓｓｉｖｅ　Ｏｐｔｉｃａｌ　Ｎｅｔｗｏｒｋ）　は、ＯＬＴ（Ｏｐｔｉｃａｌ　Ｌｉｎｅ　Ｔｅｒｍｉｎａｌ；光伝送路終端装置）とＯＮＴ（Ｏｐｔｉｃａｌ　Ｎｅｔｗｏｒｋ　Ｔｅｒｍｉｎａｌ；光綱終端装置）との間でＡＴＭ（Ａｓｙｎｃｈｒｏｎｏｕｓ　Ｔｒａｎｓｆｅｒ　Ｍｏｄｅ）セルの伝送を行う技術であり、ＩＴＵ−Ｔ勧告Ｇ．９８３．１にその機能が規定されている。
【０００３】
Ｂ−ＰＯＮレピータ（Ｂ−ＰＯＮ　Ｒｅｐｅａｔｅｒ；Ｂ−ＰＯＮ再生中継装置）は、ＯＬＴとＯＮＴとの間に設置され、ＯＬＴからの信号をＯＮＴへ再生中継し、ＯＮＴからの信号をＯＬＴへ再生中継する。また、Ｂ−ＰＯＮレピータは、ＯＮＴから送られてきた信号以外の信号もＯＬＴに送信する。この信号はＢ−ＰＯＮレピータ自身が送信する信号であり、例えば、Ｂ−ＰＯＮレピータ自身が送信するＰＬＯＡＭセル等がある。Ｂ−ＰＯＮレピータに関する具体的な従来技術として、例えば非特許文献１に記載された技術が知られている。
【０００４】
２重化Ｂ−ＰＯＮレピータシステムは、Ｂ−ＰＯＮレピータを２重化して信頼度を向上させる技術である。２個のＢ−ＰＯＮレピータからの上り信号は光スプリッタを介してＯＬＴに入力される。ＯＬＴからの下り信号は光スプリッタで分岐されて２つのＢ−ＰＯＮレピータに入力する。これら２個のＢ−ＰＯＮレピータからの下り信号は、１つの光スプリッタに入力し、その出力は１本の光ファイバに入力する。その光スプリッタを光スプリッタＡと呼ぶことにし、その光ファイバを光ファイバＡと呼ぶ。その光ファイバの他端は、別の光スプリッタに接続される。その光スプリッタを介して、下り信号は全てのＯＮＴに伝送される。光ファイバＡには全てのＯＮＴからの上り信号が入力し、当該光ファイバＡは全てのＯＮＴの上り信号を伝搬させる。ＯＮＴからの上り信号は、光スプリッタＡに入力し、分岐して２つのＢ−ＰＯＮレピータに入力する。
【０００５】
２個のＢ−ＰＯＮレピータのうち一方の光伝送路だけが選択系となり、他方の光伝送路のＢ−ＰＯＮレピータは非選択系となる。どちらの光伝送路が選択系となるかはＯＬＴが制御する。選択系光伝送路に接続されたＢ−ＰＯＮレピータは、ＯＬＴから送られてきた信号を再生中継してＯＮＴへ送信し、ＯＮＴから送られてきた信号を再生中継してＯＬＴへ送信する。非選択系のＢ−ＰＯＮレピータは、ＯＬＴから受信した信号をＯＮＴへ送信せず、ＯＮＴから送られてきた信号をＯＬＴへ送信しない。２重化Ｂ−ＰＯＮレピータに関する具体的な従来技術として、例えば非特許文献２に記載された技術が知られている。
【０００６】
ＯＬＴは、選択系のＢ−ＰＯＮレピータ又はＯＮＴから受信した信号に通信故障を検出した場合や、オペレータからの切替コマンドによって２重化Ｂ−ＰＯＮレピータの系の切り替えを行う。ここで、切替とは、それまで選択系だったＢ−ＰＯＮレピータを非選択系とし、それまで非選択系だったＢ−ＰＯＮレピータを選択系とすることである。
【０００７】
【非特許文献１】
信学技報ＣＳ２００１−２３　（３７−４２頁）「ＡＴＭ−ＰＯＮの伝送距離を拡大するリピータの構成法」
【非特許文献２】
信学会全大会（２００２年３月），Ｂ−８−４５「Ｂ−ＰＯＮレピータ信頼度向上法」
【０００８】
【発明が解決しようとする課題】
さて、選択系Ｂ−ＰＯＮレピータと光スプリッタＡとの間の光ファイバ又は光ファイバＡに断線等の故障が発生した場合、ＯＬＴは全てのＯＮＴについてＬＯＳｉ等の通信故障を検出し、且つ、Ｂ−ＰＯＮレピータが再生中継した信号ではないＢ−ＰＯＮレピータ自身が送信した信号に通信故障を検出しないので、ＯＬＴは選択系Ｂ−ＰＯＮレピータと光スプリッタＡとの間の光ファイバ又は光ファイバＡに断線等の通信故障が発生したことを検出することができる。しかし、その故障箇所が、光ファイバＡなのか又は光スプリッタＡと選択系Ｂ−ＰＯＮレピータとの間の光ファイバにあるのか判定できない問題が指摘されていた。
【０００９】
本発明の目的は、伝送路に通信故障が発生した場合、ＯＬＴにおいて故障の発生箇所を特定できる故障監視システム及び方法を提供することにある。
【００１０】
【課題を解決するための手段】
上記課題を解決するため、本発明による故障監視システムは、光伝送路終端装置と複数の光網終端装置とを光分岐回路及び光線路を介して接続した伝送路分岐多数ユーザ接続ネットワークであって、光伝送路終端装置と光網終端装置との間の伝送路の一部が、第１及び第２の光伝送路により２重化され、第１の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第２の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含む伝送路分岐多数ユーザ接続ネットワークの故障監視システムにおいて、
前記光伝送路終端装置は、受信した信号から伝送路に生じた故障を検出する故障検出手段と、故障検出手段からの故障検出情報に基づいて故障箇所を特定する故障箇所特定手段と、前記第１及び第２の光伝送路を、信号伝送を行う選択系と信号伝送を行わない非選択系との間で相互に切り替える伝送路切替手段とを具え、
前記光伝送路終端装置の故障検出手段は、前記第１の光伝送路が選択系であり第２の光伝送路が非選択系にある第１の伝送状態において光網終端装置から送信された信号を用いて故障検出を行うと共に再生中継装置から送信された信号を用いて故障検出を行い、第１の光伝送路が非選択系に切り替えられ第２の光伝送路が選択系に切り替えられた第２の伝送状態において光網終端装置から送信された信号を用いて故障検出を行うと共に再生中継装置から送信された信号を用いて故障検出を行うことを特徴とする。
【００１１】
さらに、本発明による故障監視方法は、光伝送路終端装置と複数の光網終端装置とを光分岐回路及び光線路を介して接続した伝送路分岐多数ユーザ接続ネットワークであって、光伝送路終端装置と光網終端装置との間の伝送路の一部が、第１及び第２の光伝送路により２重化され、第１の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含み、第２の光伝送路は、光伝送路終端装置から送られてきた信号を再生中継して光網終端装置に向けて出力すると共に光網終端装置から送られてきた信号を再生中継して光伝送路終端装置に向けて出力する１個又は縦続接続した複数の再生中継装置を含む伝送路分岐多数ユーザ接続ネットワークの故障監視方法において、
前記光伝送路終端装置は、受信した信号から伝送路に生じた故障を検出する故障検出手段と、故障検出手段からの出力に基づいて故障箇所を特定する故障箇所特定手段と、前記第１及び第２の光伝送路を信号伝送を行う選択系と信号伝送を行わない非選択系との間で相互に切り替える伝送路切替手段とを具え、
第１の光伝送路が選択系であり第２の光伝送路が非選択系である第１の信号伝送状態において、光網終端装置から送信された信号を用いて故障を検出する第１の故障検出工程と、
第１の信号伝送状態において、再生中継装置から送信された故障監視信号を用いて故障を検出する第２の故障検出工程と、
第１の光伝送路が非選択系に切り替えられ第２の光伝送路が選択系に切り替えられた第２の信号伝送状態において、光網終端装置から送信された信号を用いて故障を検出する第３の故障検出工程と、
第２の信号伝送状態において、再生中継装置から送信された故障監視信号を用いて故障を検出する第４の故障検出工程とを具えることを特徴とする。
【００１２】
【作用】
２個のＢ−ＰＯＮレピータのＯＮＴ側インターフェースを一つの光スプリッタに接続する。その光スプリッタを光スプリッタＡと呼ぶことにする。光スプリッタＡは、他の光スプリッタと光ファイバを介してＯＮＴに接続する。この他の光スプリッタを光スプリッタＢと呼ぶことにする。ＯＬＴは、２個のＢ−ＰＯＮレピータのうちの一方のＢ−ＰＯＮレピータを選択系とし、他方を非選択系とする。ここでは、選択系になったＢ−ＰＯＮレピータをＢ−ＰＯＮレピータ（０系）と呼び、非選択系になったＢ−ＰＯＮレピータをＢ−ＰＯＮレピータ（１系）と呼ぶことにする。
【００１３】
このとき、Ｂ−ＰＯＮレピータ（０系）と光スプリッタＢとの間の光ファイバに断線等の故障が発生したとする。ＯＬＴは、全てのＯＮＴについてＬＯＳｉ等の通信故障を検出する。この場合、ＯＬＴは、Ｂ−ＰＯＮレピータ（０系）自身が送信する信号には異常又は故障を検出しない。以上の情報から、故障箇所は、Ｂ−ＰＯＮレピータと光スプリッタＢとの間であると判断できる。
【００１４】
次に、ＯＬＴは２重化Ｂ−ＰＯＮレピータの切り替えを行う。Ｂ−ＰＯＮレピータ（０系）は非選択系となり、Ｂ−ＰＯＮレピータ（１系）が選択系となる。この切替の後、ＯＬＴが少なくとも１つのＯＮＴについて通信故障を検出しなければ、故障箇所がＢ−ＰＯＮレピータ（０系）と光スプリッタＡとの間にあると判定できる。または、この切替の後、ＯＬＴが全てのＯＮＴについて通信故障を検出すれば、故障箇所が光スプリッタＡと光スプリッタＢとの間にあると判断できる。
【００１５】
すなわち、ＯＬＴが通信故障を検出した場合、Ｂ−ＰＯＮレピータがＯＬＴに送信する信号から判断して故障が検出された場合、Ｂ−ＰＯＮレピータとＯＬＴとの間の伝送路に故障が発生したものと判断でき、また、伝送系を切り替えＯＮＴからの信号に基づいて故障の発生を検出することにより２個の光伝送路の共通の伝送路に故障が発生したか又は個別の伝送路に故障が発生したか否かを判断することができる。この結果、ＯＬＴにおいて通信故障が検出された場合、追加の２個の故障検出工程を実施するだけでＯＬＴとＯＮＴとの間のいずれの箇所において故障が発生したかを明確に判断することができる。
【００１６】
【実施例】
以下、図面を参照して本発明の実施例について説明する。図１は本発明による２重化Ｂ−ＰＯＮ及びその故障監視システムの一例を示す線図である。ＯＬＴ（光伝送路終端装置）１には、光ファイバから成る光線路２、第１の光スプリッタ（光分岐回路）３及び光線路４及び５を介して第１及び第２のＢ−ＰＯＮレピータ（再生中継装置）６及び７を接続する。これら第１及び第２のＢ−ＰＯＮレピータ６及び７は、それぞれ光線路８及び９を介して第２の光スプリッタ１０に接続する。第２の光スプリッタ１０を光線路１１を介して第３の光スプリッタ１２に接続し、第３の光スプリッタ１２にはｎ個のＯＮＴ（光網終端装置）１３ａ〜１３ｎを接続する。また、本例では、各光伝送路に１個の再生中継装置を配置した構成としたが、各光伝送路毎に縦続接続した複数の再生中継装置を配置することができる。
【００１７】
第１の光スプリッタ３と第２の光スプリッタ１０との間の伝送路は、第１の光伝送路と第２の光伝送路により２重化され、第１のＢ−ＰＯＮレピータ６を含む光伝送路を第１の光伝送路とし、第２のＢ−ＰＯＮレピータを含む光伝送路を第２の光伝送路とする。これら第１及び第２の光伝送路は、いずれか一方の光伝送路が選択系の伝送路となり、ＯＬＴ１とＯＮＴ１３ａ〜１３ｎとの間の相互信号伝送を行う信号経路となる。他方の光伝送路は非選択系の伝送路となり、Ｂ−ＰＯＮレピータは到来した信号を受信するが、受信した信号をＯＬＴ及びＯＮＴへ伝送しない。尚、選択系と非選択系との間の切り替えはＯＬＴ１の制御のもとで行われる。
【００１８】
第１の光伝送路が選択系伝送路の場合、ＯＬＴ１から送出された信号は、光線路２、第１の光スプリッタ３並びに光線路４及び５を介して第１及び第２のＢ−ＰＯＮレピータ６及び７にそれぞれ供給され、これら第１及び第２のＢ−ＰＯＮレピータにより受信される。第２のＢ−ＰＯＮレピータは非選択系であるため、入力信号を受信するが、ＯＮＴ１３へ送出しない。一方、第１のＢ−ＰＯＮレピータ６は選択系であるため、受信した信号を再生中継し、後段のＯＮＴ１３に送出する。また、ＯＮＴ１３から送信された信号は、伝送路を介して第１及び第２のＢ−ＰＯＮレピータ６及び７にそれぞれ供給され、これらＢ−ＰＯＮレピータにより受信される。この場合、第１のＢ−ＰＯＮレピータ６は選択系であるから、受信した信号を再生中継してＯＬＴ１に向けて送出する。一方、第２のＢ−ＰＯＮレピータ７は非選択系であるため、入力信号を受信するだけで、ＯＬＴに出力しない。
【００１９】
次に、ＯＬＴの構成について説明する。ＯＬＴ１は、第１の光伝送路と第２の光伝送路とを選択系と非選択系との間で切り替える切替制御部２０、受信した信号から故障の発生を検出する故障検出部２１、及び故障検出部２１からの出力情報に基づいて故障の発生箇所を特定する故障箇所特定部２２を有する。故障検出部２１は、受信した信号のビットエラーや光パワーの減衰等に基づいて伝送経路に故障が発生したか否かを検出する。例えば、受信信号のパワー強度が所定の閾値以下の場合、光ファイバに断線等の故障が発生したものと判定することができる。そして、ＯＮＴからの送信されてきた信号に基づいて故障の発生を検出すると共にＢ−ＰＯＮレピータ６，７から送られてきた信号に基づいて故障の発生を検出する。これらの信号に基づいて故障を検出した場合、故障検出情報として故障箇所特定部２２に供給する。
【００２０】
次に、故障箇所の特定について説明する。Ｂ−ＰＯＮレピータ６を含む第１の光伝送路が選択系であり、Ｂ−ＰＯＮレピータ７を含む第２の光伝送路が非選択系である第１の伝送状態に設定されているものとする。この第１の伝送状態において、ＯＬＴ１の故障検出部２１が、全てのＯＮＴからの受信信号に異常を検出する（第１の故障検出工程）。
【００２１】
第１の故障検出工程において、故障の発生が検出された場合、Ｂ−ＰＯＮレピータ６から受信した信号から判断してＢ−ＰＯＮレピータとＯＬＴ１の間伝送路に故障が発生したか否かを判断する（第２の故障検出工程）。この場合、Ｂ−ＰＯＮレピータ６から受信した信号に故障があった場合Ｂ−ＰＯＮレピータ６とＯＬＴ１との間の伝送路に故障が発生したものと判断し、Ｂ−ＰＯＮレピータ６からの信号に異常が認められなかった場合Ｂ−ＰＯＮレピータ６とＯＮＴとの間の伝送路に故障が発生しなかったたものと判断する。
【００２２】
次に、切替制御部の制御のもとで第１の伝送状態から第２の伝送状態に伝送系を切り替える。すなわち、第１の光伝送路を非選択系にし第２の光伝送路を選択系にする。そして、ＯＬＴ１の故障検出部２１は、ＯＮＴから送信されてきた信号を受信して故障の有無を検出する（第３の故障検出工程）。この伝送路を切り替えて故障検出を行い、全てのＯＮＴから故障が検出された場合、第１の光伝送路と第２の光伝送路との共通の伝送路において故障が発生したものと判断できる。一方、少なくとも１つのＯＮＴから故障が検出されない場合、共通の伝送路ではなく第１の光伝送路に固有の伝送路に故障が発生したものと判断することができる。
【００２３】
次に、第２の伝送状態において、ＯＬＴは、Ｂ−ＰＯＮレピータ７からの受信信号に故障があるか否かを判定する（第４の故障検出工程）。この場合、故障が検出された場合、全てのＯＮＴからの受信信号に異常を検出しているならば、Ｂ−ＰＯＮレピータ６及び７とＯＬＴ１との間の伝送路であって、第１の光伝送路と第２の光伝送路との共通の伝送路において故障が発生したものと判断する。一方、故障が検出されない場合、共通の伝送路ではない第１の光伝送路固有の伝送路に故障が発生したものと判断する。
【００２４】
尚、実際の故障検出においては、第１の故障検出工程及び第２の故障検出工程において故障の発生が検出された場合、次に第４の故障検出工程を実施することにより故障箇所を特定することができる。また、第１の故障検出工程において故障が検出され第２の故障検出工程において故障が検出されない場合、続いて第３の故障検出工程を実施するだけで故障箇所を特定することができる。
【００２５】
図２は本発明による故障監視方法を実施するためのフローチャートである。本例では、Ｂ−ＰＯＮレピータと光網終端装置との間の伝送路に故障が発生した場合の故障監視方法のフローチャートを示す。
【００２６】
本発明は上述した実施例だけに限定されず種々の変形や変更が可能である。例えば、上述した実施例では、光伝送路終端装置と光網終端装置との間のいずれかの箇所で故障が発生した場合に対応できる例について説明したが、Ｂ−ＰＯＮレピータと光網終端装置との間の伝送路に生じた故障だけを検出する場合にも適用することができる。この場合、第１、第２及び第３の故障検出工程を実行するだけで故障箇所を特定することができる。
【００２７】
【発明の効果】
以上説明したように、本発明によれば、光伝送路終端装置と光網終端装置との間のいずれかの箇所に通信故障が発生しても、３個の故障検出工程を実行するだけで故障箇所を特定することができる。
【図面の簡単な説明】
【図１】本発明によるＢ−ＰＯＮの故障監視システムの一例を示す線図である。
【図２】本発明によるＢ−ＰＯＮの故障監視方法を示すフローチャートである。
【符号の説明】
１　ＯＬＴ
２，４，５，８，９，１１　光線路
３，１０，１２　光スプリッタ
６，７　Ｂ−ＰＯＮレピータ
１３ａ〜１３ｎ　ＯＮＴ
２０　切替制御部
２１　故障検出部
２２　故障箇所特定部
【図１】
2004104177.tif 000003
【図２】
2004104177.tif 000004